(57)【要約】【課題】主に各種電子機器の操作に用いられるリモコン送信機に関し、簡易な構成で、組立ても行い易く安価なものを提供することを目的とする。【解決手段】ケース１１と扉体１５の支持部１５Ａの間に、一端の保持部１７Ａが支持部１５Ａに固定されると共に、中間部に形成された略円錐台状の弾接部１７Ｂが、ケース１１の傾斜受部１１Ｂに弾接するダンパー部材１７を設けることによって、組立てが容易で構成部品数も少なく、安価なリモコン送信機を得ることができる。【選択図】図１
2007104551.tif 000002
【特許請求の範囲】
【請求項１】
略箱状のケースと、このケース上面に突出した操作体の操作によって電気的接離を行うスイッチ接点と、このスイッチ接点の電気的接離に応じて送信手段からリモコン信号を送信する制御手段と、両端に形成された一対の支持部を支点として、上記ケースに開閉可能に装着された扉体からなり、上記ケースと上記扉体の支持部の間に、一端が上記扉体の支持部に固定されると共に、中間部に形成された略円錐台状の弾接部が、上記ケースの傾斜受部に弾接するダンパー部材を設けたリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を可能にしたものが増えている。
【０００３】
このような従来のリモコン送信機について、図３および図４を用いて説明する。
【０００４】
図３はリモコン送信機の斜視図、図４は従来のリモコン送信機の部分斜視図であり、同図において、１は略箱状で絶縁樹脂製のケース、２はゴム等の下操作体で、下操作体２の、下方に設けられた略ドーム状の薄肉部によって、上下動可能に連結形成された複数の下操作部２Ａが、ケース１上面から突出している。
【０００５】
そして、この下操作体２下方には、上下面に複数の配線パターンが形成された配線基板（図示せず）が収納されると共に、配線基板上面と下操作部２Ａ下面の間には、下操作部２Ａの上下動によって電気的接離を行う、複数のスイッチ接点（図示せず）が形成されている。
【０００６】
また、配線基板の上下面には、発光ダイオード等の電子部品によってリモコン信号を送信する送信手段３や、配線パターンを介して送信手段３やスイッチ接点等に接続された、マイコン等の制御手段４が形成されている。
【０００７】
そして、５は絶縁樹脂製の扉体、６はゴム等の上操作体で、上操作体６の、下方に設けられた略ドーム状の薄肉部によって、上下動可能に連結形成された複数の上操作部６Ａが、扉体５上面から突出すると共に、上操作部６Ａ下面の突出部６Ｂが、扉体５底面から突出して下操作部２Ａ上面に当接している。
【０００８】
また、扉体５の左右両端には下方へ突出する一対の支持部５Ａと５Ｂが形成され、この支持部５Ａと５Ｂを支点として、扉体５がケース１に開閉可能に装着されると共に、ケース１には右端が支持部５Ｂに固定された保持ピン７と、コイル状でやや撓んだ状態の捩りばね８が装着され、この保持ピン７と捩りばね８によって扉体５がケース１に対して常に開く方向へ付勢されている。
【０００９】
さらに、９は粘性のあるオイルやゴム（図示せず）等が内蔵されたダンパー装置で、ネジ１０によってケース１左端に取付けられると共に、ダンパー装置９左端の回転部９Ａが支持部５Ａに固定され、このダンパー装置９によって扉体５の開閉操作に抵抗が加わり、開閉操作が緩やかに行われるように形成されている。
【００１０】
そして、扉体５の下端中央には爪部５Ｃが設けられると共に、ケース１側面には、この爪部５Ｃのケース１への係止を解除する押釦１Ａが形成されて、リモコン送信機が構成されている。
【００１１】
なお、扉体５に収納された複数の上操作体６は、電子機器の電源の入／切、或いは音量や選局等の通常頻繁に使用されるものに用いられ、これに対し、ケース１内の複数の下操作体２は、テレビとビデオのモード切換えや時刻設定等の比較的使用頻度の少ないものに用いられる。
【００１２】
また、扉体５とケース1との間には検出スイッチ（図示せず）等が設けられ、扉体５が閉または開いずれの状態にあるのかを制御手段４が検出して、上操作体６と下操作体２のどちらが操作されたかを判別するように構成されている。
【００１３】
以上の構成において、図３（ａ）に示すように、扉体５が閉じた状態で、扉体５上面から突出した上操作部６Ａを押圧操作すると、略ドーム状の薄肉部が弾性変形して上操作部６Ａが下方へ移動し、この下面の扉体５底面から突出した突出部６Ｂが下操作部２Ａを押圧する。
【００１４】
そして、下操作部２Ａが同じく下方へ移動して、この下面のスイッチ接点の電気的接離が行われ、この電気的接離に応じて制御手段４が、送信手段３から赤外線のリモコン信号を電子機器へ送信し、例えば、機器の電源の入／切が遠隔操作によって行われる。
【００１５】
また、ケース１側面の押釦１Ａを押圧操作すると、図３（ｂ）に示すように、爪部５Ｃのケース１への係止が解除され、捩りばね８によって開方向へ付勢された扉体５が開き、所定角度開いた状態で保持される。
【００１６】
なお、この時、支持部５Ａに固着されたダンパー装置９によって、扉体５には開方向への抵抗が加わるため、扉体５の開操作は緩やかに行われ、開いた衝撃等によって、リモコン送信機を手から落としてしまうこと等がないように構成されている。
【００１７】
また、この扉体５が開いた状態で、ケース１上面から突出した下操作部２Ａを押圧操作すると、略ドーム状の薄肉部が弾性変形して下操作部２Ａが下方へ移動し、この下面のスイッチ接点の電気的接離が行われる。
【００１８】
そして、この電気的接離に応じて制御手段４が送信手段３からリモコン信号を送信するが、この時、検出スイッチ等によって扉体５が開いた状態であることを制御手段４が検出して、上記とは異なるリモコン信号を電子機器へ送信し、例えば、テレビとビデオのモード切換えや機器の時刻設定等が遠隔操作によって行われる。
【００１９】
つまり、制御手段４が検出スイッチ等によって扉体５の開閉状態を検出し、開いた状態で複数の下操作部２Ａを直接押圧操作した場合と、閉じた状態で上操作部６Ａを介して押圧操作した場合とでは、異なるリモコン信号を送信することによって、遠隔操作機能を増やし、より多くの操作が可能なように構成されているものであった。
【００２０】
なお、この出願の発明に関連する先行技術文献情報としては、例えば、特許文献１が知られている。
【特許文献１】特開平１１−２１３８０３号公報
【発明の開示】
【発明が解決しようとする課題】
【００２１】
しかしながら、上記従来のリモコン送信機においては、扉体５の緩やかな開閉操作を、ネジ１０によってケース１に取付けられた、別部品であるダンパー装置９によって行っているため、構成部品数が多く形状も大きなものになると共に、ケース１への取付けにも手間がかかり、リモコン送信機が高価なものとなるという課題があった。
【００２２】
本発明は、このような従来の課題を解決するものであり、簡易な構成で、開閉操作が行い易く安価なリモコン送信機を提供することを目的とする。
【課題を解決するための手段】
【００２３】
上記目的を達成するために本発明は、ケースと扉体の支持部の間に、一端が扉体の支持部に固定されると共に、中間部に形成された略円錐台状の弾接部が、ケースの傾斜受部に弾接するダンパー部材を設けてリモコン送信機を構成したものであり、ケースに一体化され構成部品数の少ないダンパー部材によって、扉体の緩やかな開閉操作を行うことができるため、組立ても容易で、開閉操作が行い易く安価なリモコン送信機を得ることができるという作用を有する。
【発明の効果】
【００２４】
以上のように本発明によれば、簡易な構成で、開閉操作が行い易く安価なリモコン送信機を実現できるという有利な効果が得られる。
【発明を実施するための最良の形態】
【００２５】
以下、本発明の実施の形態について、図１〜図３を用いて説明する。
【００２６】
なお、背景技術の項で説明した構成と同一構成の部分には同一符号を付して、詳細な説明を簡略化する。
【００２７】
（実施の形態）
図１は本発明の一実施の形態によるリモコン送信機の部分断面図、図２は同部分斜視図、図３はリモコン送信機の斜視図であり、同図において、１１は略箱状でポリスチレンやＡＢＳ等の絶縁樹脂製のケース、２はゴムやエラストマー等の下操作体で、下操作体２の、下方に設けられた略ドーム状の薄肉部によって、上下動可能に連結形成された複数の下操作部２Ａが、ケース１１上面から突出している。
【００２８】
そして、この下操作体２下方には、紙フェノールやガラス入りエポキシ等の配線基板（図示せず）が収納されると共に、上下面に複数の配線パターンが形成された配線基板上面と下操作部２Ａ下面の間には、下操作部２Ａの上下動によって電気的接離を行う、複数のスイッチ接点（図示せず）が形成されている。
【００２９】
また、配線基板の上下面には、発光ダイオード等の電子部品によってリモコン信号を送信する送信手段３や、配線パターンを介して送信手段３やスイッチ接点等に接続された、マイコン等の制御手段４が形成されている。
【００３０】
そして、１５は絶縁樹脂製の扉体、６はゴムやエラストマー等の上操作体で、上操作体６の、下方に設けられた略ドーム状の薄肉部によって、上下動可能に連結形成された複数の上操作部６Ａが、扉体１５上面から突出すると共に、上操作部６Ａ下面の突出部６Ｂが、扉体１５底面から突出して下操作部２Ａ上面に当接している。
【００３１】
また、扉体１５の左右両端には下方へ突出する一対の支持部１５Ａと１５Ｂが形成され、この支持部１５Ａと１５Ｂを支点として、扉体１５がケース１１に開閉可能に装着されると共に、ケース１１には右端が支持部１５Ｂに固定された保持ピン７と、コイル状でやや撓んだ状態の捩りばね８が装着され、この保持ピン７と捩りばね８によって、扉体１５がケース１１に対して常に開く方向へ付勢されている。
【００３２】
さらに、１７はポリオキシメチレン等のやや粘性を有するダンパー部材で、左端の保持部１７Ａが支持部１５Ａに固定されて、ケース１１と扉体１５の間に装着されると共に、中間部に形成された略円錐台状の弾接部１７Ｂが、コイル状でやや撓んだ状態の圧縮ばね１８によって、ケース１１の傾斜受部１１Ｂに弾接し、このダンパー部材１７によって扉体１５の開閉操作に抵抗が加わり、開閉操作が緩やかに行われるように形成されている。
【００３３】
そして、扉体１５の下端中央には爪部５Ｃが設けられると共に、ケース１１側面には、この爪部５Ｃのケース１１への係止を解除する押釦１Ａが形成されて、リモコン送信機が構成されている。
【００３４】
なお、このようなリモコン送信機のダンパー部材１７の組立ては、ダンパー部材１７に圧縮ばね１８を装着した後、圧縮ばね１８を撓めながらダンパー部材１７をケース１１内に挿入し、手を離せば、圧縮ばね１８によって、弾接部１７Ｂが傾斜受部１１Ｂに弾接して組立てが終了するため、ネジによる取付け等のように手間をかけることなく、比較的容易に組立てを行うことができる。
【００３５】
また、扉体１５に収納された複数の上操作体６は、電子機器の電源の入／切、或いは音量や選局等の通常頻繁に使用されるものに用いられ、これに対し、ケース１１内の複数の下操作体２は、テレビとビデオのモード切換えや時刻設定等の比較的使用頻度の少ないものに用いられる。
【００３６】
そして、扉体１５とケース１１との間には検出スイッチ（図示せず）等が設けられ、扉体１５が閉または開いずれの状態にあるのかを制御手段４が検出して、上操作体６と下操作体２のどちらが操作されたかを判別するように構成されている。
【００３７】
以上の構成において、図３（ａ）に示すように、扉体１５が閉じた状態で、扉体１５上面から突出した上操作部６Ａを押圧操作すると、略ドーム状の薄肉部が弾性変形して上操作部６Ａが下方へ移動し、この下面の扉体１５底面から突出した突出部６Ｂが下操作部２Ａを押圧する。
【００３８】
そして、下操作部２Ａが同じく下方へ移動して、この下面のスイッチ接点の電気的接離が行われ、この電気的接離に応じて制御手段４が、送信手段３から赤外線のリモコン信号を電子機器へ送信し、例えば、機器の電源の入／切が遠隔操作によって行われる。
【００３９】
また、ケース１１側面の押釦１Ａを押圧操作すると、図３（ｂ）に示すように、爪部５Ｃのケース１１への係止が解除され、捩りばね８によって開方向へ付勢された扉体１５が開き、所定角度開いた状態で保持される。
【００４０】
なお、この時、左端の保持部１７Ａが支持部１５Ａに固定されたダンパー部材１７も、扉体１５と共に開方向へ回転するが、ダンパー部材１７中間部の略円錐台状の弾接部１７Ｂが、圧縮ばね１８によってケース１１の傾斜受部１１Ｂに弾接しているため、この摩擦によってダンパー部材１７の回転、即ち、扉体１５の開操作には抵抗が加わる。
【００４１】
つまり、ケース１１と扉体１５の間に装着されたダンパー部材１７によって、扉体１５に開方向への抵抗が加わることで、扉体１５の開操作は緩やかに行われ、開いた衝撃等によって、リモコン送信機を手から落としてしまうこと等がないように構成されている。
【００４２】
また、この扉体１５が開いた状態で、ケース１１上面から突出した下操作部２Ａを押圧操作すると、略ドーム状の薄肉部が弾性変形して下操作部２Ａが下方へ移動し、この下面のスイッチ接点の電気的接離が行われる。
【００４３】
そして、この電気的接離に応じて制御手段４が送信手段３からリモコン信号を送信するが、この時、検出スイッチ等によって扉体１５が開いた状態であることを制御手段４が検出して、上記とは異なるリモコン信号を電子機器へ送信し、例えば、テレビとビデオのモード切換えや機器の時刻設定等が遠隔操作によって行われる。
【００４４】
つまり、制御手段４が検出スイッチ等によって扉体１５の開閉状態を検出し、開いた状態で複数の下操作部２Ａを直接押圧操作した場合と、閉じた状態で上操作部６Ａを介して押圧操作した場合とでは、異なるリモコン信号を送信することによって、遠隔操作機能を増やし、より多くの操作が可能なように構成されている。
【００４５】
このように本実施の形態によれば、ケース１１と扉体１５の支持部１５Ａの間に、一端の保持部１７Ａが支持部１５Ａに固定されると共に、中間部に形成された略円錐台状の弾接部１７Ｂが、ケース１１の傾斜受部１１Ｂに弾接するダンパー部材１７を設けることによって、組立てが容易で構成部品数も少なく、安価なリモコン送信機を得ることができるものである。
【００４６】
そして、開閉操作する扉体１５の大きさや重量に応じ、圧縮ばね１８の荷重を変えたり、ダンパー部材１７に高粘性のゴムやエラストマー等を用いたり、或いは逆に、弾接部１７Ｂに溝や凹凸を設けて、傾斜受部１１Ｂとの摩擦を小さくしたりすることによって、扉体１５の開閉速度を様々に変えることができる。
【００４７】
なお、以上の説明では、ケース１１と扉体１５の支持部１５Ｂの間に、保持ピン７と捩りばね８を装着し、ケース１１側面の押釦１Ａの押圧操作によって、扉体１５が自動的に開く構成について説明したが、保持ピン７や捩りばね８がなく、扉体１５を手で開閉操作する構成のものや、さらに、上操作体６がなく、扉体１５を開閉して下操作体２のみを押圧操作する構成のものにおいても、本発明の実施は可能である。
【産業上の利用可能性】
【００４８】
本発明によるリモコン送信機は、簡易な構成で、組立ても行い易く安価なものが得られ、主に各種電子機器の操作用として有用である。
【図面の簡単な説明】
【００４９】
【図１】本発明の一実施の形態によるリモコン送信機の部分断面図
【図２】同部分斜視図
【図３】リモコン送信機の斜視図
【図４】従来のリモコン送信機の部分斜視図
【符号の説明】
【００５０】
１Ａ  押釦
２  下操作体
２Ａ  下操作部
３  送信手段
４  制御手段
５Ｃ  爪部
６  上操作体
６Ａ  上操作部
６Ｂ  突出部
７  保持ピン
８  捩りばね
１１  ケース
１１Ｂ  傾斜受部
１５  扉体
１５Ａ、１５Ｂ  支持部
１７  ダンパー部材
１７Ａ  保持部
１７Ｂ  弾接部
１８  圧縮ばね
【図１】
2007104551.tif 000003
【図２】
2007104551.tif 000004
【図３】
2007104551.tif 000005
【図４】
2007104551.tif 000006